(57)【要約】      （修正有）【課題】小型のディスクカートリッジを位置決めする位置決め部材が、大型のディスクカートリッジと干渉することを防止するとともに、確実に位置決めをする。【解決手段】第１及び第２のディスクカートリッジを位置決めする第１及び第２の位置決め部材６１，６２と、第２の位置決め部材６２を待避させる待避機構６４と、この待避機構６４を規制する規制機構６５とを備え、第２の位置決め部材６２が、第１のディスクカートリッジが挿入されたとき、第１のディスクカートリッジで押圧部が押圧されて規制部材が移動されて筒状部６７の軸線方向に移動可能となり、第１のディスクカートリッジの底面で押圧されて筒状部６７に沈み込んで待避され、第２のディスクカートリッジが挿入されたとき、規制部材によって筒状部６７の軸線方向の移動が規制された状態で第２のディスクカートリッジを位置決めをする。【選択図】図１３
2008186525.tif 000002
【特許請求の範囲】
【請求項１】
第１のディスクを回転可能に収納し、底面に装着位置の位置決めをする第１の位置決め孔が形成された第１のディスクカートリッジと、第２のディスクを回転可能に収納し、底面に装着位置の位置決めをする第２の位置決め孔が形成された上記第１のディスクカートリッジより小型の第２のディスクカートリッジとが選択的に装着されるディスクカートリッジ装着装置において、
上記第１のディスクカートリッジと上記第２のディスクカートリッジとが選択的に装着されるベースと、
上記ベースに突出し、上記第１のディスクカートリッジの上記第１の位置決め孔に係合して位置決めする第１の位置決め部材と、
上記第１の位置決め部材より内側に上記ベースに突出して設けられ、上記第２のディスクカートリッジの上記第２の位置決め孔に係合して位置決めし、側面に規制溝が設けられた第２の位置決め部材と、
上記第２の位置決め部材を上記第１のディスクカートリッジが装着されるときに待避させる待避機構と、
上記第２の位置決め部材の待避動作を規制する規制機構とを備え、
上記待避機構は、上記第２の位置決め部材を軸線方向に移動可能に支持する筒状部と、上記筒状部に配設され、上記第２の位置決め部材を上記筒状部の軸線方向に対して突出する方向に付勢する付勢部材とを有し、
上記規制機構は、上記第２の位置決め部材の上記規制溝に係脱するように移動し、上記第２の位置決め部材の上記規制溝に係合して、上記第２の位置決め部材の上記筒状部の軸線方向の移動を規制する規制部材と、上記規制部材に設けられ、上記第１のディスクカートリッジによって押圧されて上記規制部材を移動させる押圧部とを有し、
上記規制部材が上記規制溝に係合され、上記第２の位置決め部材が上記筒状部から突出されて上記筒状部の軸線方向の移動が規制されている状態で、上記第１のディスクカートリッジが挿入されたとき、上記第２の位置決め部材は、上記第１のディスクカートリッジによって上記押圧部が押圧されて上記規制部材が移動され、上記規制部材による上記規制溝の係合が解除されて上記筒状部の軸線方向に移動可能となり、上記第１のディスクカートリッジの底面によって押圧されて上記筒状部に沈み込んで待避され、上記第１のディスクカートリッジは、上記第１の位置決め部材が上記第１の位置決め孔に係合されて上記ベース上に位置決めされ、
上記第２のディスクカートリッジが挿入されたとき、上記第２のディスクカートリッジは、上記第１の位置決め部材の内側において、上記規制部材によって上記規制溝が係合されて上記筒状部の軸線方向の移動が規制された上記第２の位置決め部材により係合されて位置決めされることを特徴とするディスクカートリッジ装着装置。
【請求項２】
更に、上記規制機構は、上記規制部材が上記第２の位置決め部材の上記規制溝を係合する方向に付勢される更なる付勢部材を有し、
上記第１のディスクカートリッジが排出され、上記第１のディスクカートリッジによる上記押圧部の押圧が解除された際に、上記規制部材が上記更なる付勢部材によって上記第２の位置決め部材の上記規制溝を係合する方向に付勢されて移動されることにより、上記第２の位置決め部材は、上記規制溝が上記規制部材によって係合されて上記筒状部の軸線方向の移動が規制されることを特徴とする請求項１記載のディスクカートリッジ装着装置。
【請求項３】
上記第１の位置決め部材は、上記第１のディスクカートリッジが装着される第１の装着面に上記第１のディスクカートリッジの上記第１の位置決め孔に係合して位置決めする突部が設けられており、
上記待避機構の上記筒状部は、頂面に上記第１及び第２のディスクカートリッジが装着される第２の装着面を有し、
上記第１の装着面と上記第２の装着面とが同一の高さに設けられていることを特徴とする請求項１又は請求項２記載のディスクカートリッジ装着装置。
【請求項４】
第１のディスクを回転可能に収納し、底面に装着位置の位置決めをする第１の位置決め孔が形成された第１のディスクカートリッジと、第２のディスクを回転可能に収納し、底面に装着位置の位置決めをする第２の位置決め孔が形成された上記第１のディスクカートリッジより小型の第２のディスクカートリッジとが選択的に装着されるディスクドライブ装置において、
上記第１のディスクカートリッジと上記第２のディスクカートリッジとが選択的に装着されるディスクカートリッジ装着機構と、
上記ディスクカートリッジ装着機構によって選択的に装着された上記ディスクカートリッジに回転可能に収納された上記第１又は第２のディスクを回転させるディスク駆動機構とを備え、
上記ディスクカートリッジ装着機構は、上記第１のディスクカートリッジと上記第２のディスクカートリッジとが選択的に装着されるベースと、上記ベースに突出し、上記第１のディスクカートリッジの上記第１の位置決め孔に係合して位置決めする第１の位置決め部材と、上記第１の位置決め部材より内側に上記ベースに突出して設けられ、上記第２のディスクカートリッジの上記第２の位置決め孔に係合して位置決めし、側面に規制溝が設けられた第２の位置決め部材と、上記第２の位置決め部材を上記第１のディスクカートリッジが装着されるときに待避させる待避機構と、上記第２の位置決め部材の待避動作を規制する規制機構とを備え、
上記待避機構は、上記第２の位置決め部材を軸線方向に移動可能に支持する筒状部と、上記筒状部に配設され、上記第２の位置決め部材を上記筒状部の軸線方向に対して突出する方向に付勢する付勢部材とを有し、
上記規制機構は、上記第２の位置決め部材の上記規制溝に係脱するように移動し、上記第２の位置決め部材の上記規制溝に係合して、上記第２の位置決め部材の上記筒状部の軸線方向の移動を規制する規制部材と、上記規制部材に設けられ、上記第１のディスクカートリッジによって押圧されて上記規制部材を移動させる押圧部とを有し、
上記規制部材が上記規制溝に係合され、上記第２の位置決め部材が上記筒状部から突出されて上記筒状部の軸線方向の移動が規制されている状態で、上記第１のディスクカートリッジが挿入されたとき、上記第２の位置決め部材は、上記第１のディスクカートリッジによって上記押圧部が押圧されて上記規制部材が移動され、上記規制部材による上記規制溝の係合が解除されて上記筒状部の軸線方向に移動可能となり、上記第１のディスクカートリッジの底面によって押圧されて上記筒状部に沈み込んで待避され、上記第１のディスクカートリッジは、上記第１の位置決め部材が上記第１の位置決め孔に係合されて上記ベース上に位置決めされ、
上記第２のディスクカートリッジが挿入されたとき、上記第２のディスクカートリッジは、上記第１の位置決め部材の内側において、上記規制部材によって上記規制溝が係合されて上記筒状部の軸線方向の移動が規制された上記第２の位置決め部材により係合されて位置決めされることを特徴とするディスクドライブ装置。
【請求項５】
更に、上記規制機構は、上記規制部材が上記第２の位置決め部材の上記規制溝を係合する方向に付勢される更なる付勢部材を有し、
上記第１のディスクカートリッジが排出され、上記第１のディスクカートリッジによる上記押圧部の押圧が解除された際に、上記規制部材が上記更なる付勢部材によって上記第２の位置決め部材の上記規制溝を係合する方向に付勢されて移動されることにより、上記第２の位置決め部材は、上記規制溝が上記規制部材によって係合されて上記筒状部の軸線方向の移動が規制されることを特徴とする請求項４記載のディスクドライブ装置。
【請求項６】
上記第１の位置決め部材は、上記第１のディスクカートリッジが装着される第１の装着面に上記第１のディスクカートリッジの上記第１の位置決め孔に係合して位置決めする突部が設けられており、
上記待避機構の上記筒状部には、頂面に上記第１及び第２のディスクカートリッジが装着される第２の装着面を有し、
上記第１の装着面と上記第２の装着面とが同一の高さに設けられていることを特徴とする請求項４又は請求項５記載のディスクドライブ装置。
【発明の詳細な説明】
【技術分野】
【０００１】
本発明は、記録媒体のフォーマットを同じくしながら大きさの異なるディスクカートリッジを装着するディスクカートリッジ装着装置及びこのディスクカートリッジ装着装置を備えるディスクドライブ装置に関する。
【背景技術】
【０００２】
記録媒体のフォーマットを同じくしながら大きさの異なる標準的大きさの第１のディスクカートリッジと、この第１のディスクカートリッジより小型の第２のディスクカートリッジとを装着するディスクドライブ装置がある。
【０００３】
具体的に、このようなディスクドライブ装置で装着される標準的大きさの第１のディスクカートリッジは、第１の開口部が形成された第１のカートリッジ本体と、上記第１のカートリッジ本体内に回転可能に収納されると共に、標準的大きさの第１のディスクが回転可能に収納され、上記第１の開口部に対応して第２の開口部が形成されたインナーロータと、上記インナーロータに回動可能に取り付けられ、上記インナーロータの回転に連動して回動し、上記第１の開口部と上記第２の開口部とが一致したときに上記第１及び第２の開口部を開放し、上記インナーロータに収納された第１のディスクを外部に臨ませる一対のシャッタ板とを備え、インナーロータの周面にギヤ部が形成された標準的大きさのものである（特許文献１参照）。
【０００４】
また、第１のディスクカートリッジより小型の第２のディスクカートリッジは、底面に第１の開口部が形成された第２のカートリッジ本体と、上記第２のカートリッジ本体内に回転可能に収納されると共に、上記第１のディスクより小型の第２のディスクを収納し、収納した第２のディスクを外部に臨ませる上記第１の開口部に対応した第２の開口部が形成されたローテーションホイールと、上記第２のカートリッジ本体の底面と上記ローテーションホイールとの間に位置して、上記ローテーションホイールの回転に連動して回動し、上記第１の開口部と上記第２の開口部とが一致したとき、上記第１の開口部と上記第２の開口部とを開放する一対のシャッタ板とを有し、上記ローテーションホイールに、上記第２のカートリッジ本体の前面に露出して、ディスクドライブ装置側のシャッタ開放アームが係合する凹状の被操作部が形成された上記第１のディスクカートリッジより小型のものとなっている（特許文献２参照）。
【０００５】
大きさの異なるディスクカートリッジを装着するディスクドライブ装置は、第１のディスクカートリッジの第１のディスクと第２のディスクカートリッジの第２のディスクとを同じディスク駆動機構で回転させることから、第１のディスクカートリッジの第１のディスクと第２のディスクカートリッジの第２のディスクとの中心が一致するように位置決めして装着させる必要がある。しかしながら、第１のディスクカートリッジは、第２のディスクカートリッジより大きい。このため、このようなディスクドライブ装置では、第２のディスクカートリッジを位置決めする第２の位置決め部材が、第１のディスクカートリッジを位置決めする第１の位置決め部材の内側に設けられているので、第１のディスクカートリッジを装着する場合、第１のディスクカートリッジと干渉してしまう問題があった。
【０００６】
そこで、ディスクカートリッジが特許文献１，２とは異なるものの、このような問題を解決する大きさの異なるディスクカートリッジを装着するディスクドライブ装置としては、特許文献３のようなものがある。特許文献３のディスクドライブ装置は、第２のディスクカートリッジを位置決めする第２の位置決め部材が、この第２の位置決め部材を支持する筒状部の軸線方向に移動可能に設けられ、付勢部材によって筒状部の軸線方向に対して突出する方向に付勢され、第１のディスクカートリッジが挿入されたとき、第１のディスクカートリッジの底面によって押圧されて筒状部内に沈み込み、第１のディスクカートリッジと干渉しない位置まで退避することで、第１のディスクカートリッジと干渉することを防止することができると記載されている。更に、特許文献３のディスクドライブ装置は、第１のディスクカートリッジが排出されたとき、付勢部材によって筒状部の軸線方向に対して突出する方向に付勢され、第２の位置決め部材が筒状部から突出した状態に復元されると記載されている。
【０００７】
しかしながら、特許文献３のディスクドライブ装置は、小型の第２のディスクカートリッジを装着するとき、第２のディスクカートリッジを位置決めする第２の位置決め部材が、第２のディスクカートリッジの第２の位置決め孔に係合して第２のディスクカートリッジを位置決めする必要があるのに、第２の位置決め部材を支持する筒状部の軸線方向に移動可能に設けられているので、例えば第２のディスクカートリッジが第２の位置決め部材と第２の位置決め孔とがずれた位置に搬送された場合、第２のディスクカートリッジの底面によって押圧されて筒状部内に沈み込んで退避された状態で、第２のディスクカートリッジが装着されてしまう虞がある。
【０００８】
【特許文献１】特開２００４−３１０８９４号公報
【特許文献２】特開２００５−３２２３８６号公報
【特許文献３】特許３４４０５９６号公報
【発明の開示】
【発明が解決しようとする課題】
【０００９】
本発明は、このような従来の事情に鑑みて提案されたものであり、大きさの異なるディスクが回転可能に収納された大きさの異なるディスクカートリッジを装着するディスクカートリッジ装着装置において、小型のディスクカートリッジを位置決めする位置決め部材が、大型のディスクカートリッジと干渉することを防止することができるディスクカートリッジ装着装置を提供することを目的とする。
【００１０】
また、本発明の他の目的は、第２のディスクカートリッジが正規な位置とずれた位置に装着されることを防止することができるディスクカートリッジ装着装置を提供することを目的とする。
【００１１】
更に、本発明の他の目的は、このディスクカートリッジ装着装置を備えたディスクドライブ装置を提供することを目的とする。
【課題を解決するための手段】
【００１２】
上述した目的を達成するために本発明に係るディスクカートリッジ装着装置は、第１のディスクを回転可能に収納し、底面に装着位置の位置決めをする第１の位置決め孔が形成された第１のディスクカートリッジと、第２のディスクを回転可能に収納し、底面に装着位置の位置決めをする第２の位置決め孔が形成された上記第１のディスクカートリッジより小型の第２のディスクカートリッジとが選択的に装着され、上記第１のディスクカートリッジと上記第２のディスクカートリッジとが選択的に装着されるベースと、上記ベースに突出し、上記第１のディスクカートリッジの上記第１の位置決め孔に係合して位置決めをする第１の位置決め部材と、上記第１の位置決め部材より内側に上記ベースに突出して設けられ、上記第２のディスクカートリッジの第２の位置決め孔に係合して位置決めし、側面に規制溝が設けられた第２の位置決め部材と、上記第２の位置決め部材を上記第１のディスクカートリッジが装着されるときに待避させる待避機構と、上記第２の位置決め部材の待避動作を規制する規制機構とを備える。
【００１３】
そして、ディスクカートリッジ装着装置は、上記待避機構が、上記第２の位置決め部材を軸線方向に移動可能に支持する筒状部と、上記筒状部に配設され、上記第２の位置決め部材を上記筒状部の軸線方向に対して突出する方向に付勢する付勢部材とを有し、上記規制機構が、上記第２の位置決め部材の上記規制溝に係脱するように移動し、上記第２の位置決め部材の上記規制溝に係合して、上記第２の位置決め部材の上記筒状部の軸線方向の移動を規制する規制部材と、上記規制部材に設けられ、上記第１のディスクカートリッジによって押圧されて上記規制部材を移動させる押圧部とを有し、上記規制部材が上記規制溝に係合され、上記第２の位置決め部材が上記筒状部から突出されて上記筒状部の軸線方向の移動が規制されている状態で、上記第１のディスクカートリッジが挿入されたとき、上記第２の位置決め部材は、上記第１のディスクカートリッジによって上記押圧部が押圧されて上記規制部材が移動され、上記規制部材による上記規制溝の係合が解除されて上記筒状部の軸線方向に移動可能となり、上記第１のディスクカートリッジの底面によって押圧されて上記筒状部に沈み込んで待避され、上記第１のディスクカートリッジは、上記第１の位置決め部材が上記第１の位置決め孔に係合されて上記ベース上に位置決めされ、上記第２のディスクカートリッジが挿入されたとき、上記第２のディスクカートリッジは、上記第１の位置決め部材の内側において、上記規制部材によって上記規制溝が係合されて上記筒状部の軸線方向の移動が規制された上記第２の位置決め部材により係合されて位置決めされることを特徴とするディスクカートリッジ装着装置。
【００１４】
また、本発明に係るディスクドライブ装置は、以上のような構成を備えるディスクカートリッジ装着機構と、上記ディスクカートリッジ装着機構によって選択的に装着されたディスクカートリッジに回転可能に収納された第１又は第２のディスクを回転させるディスク駆動機構とを備える。
【発明の効果】
【００１５】
本発明によれば、第２の位置決め部材が、筒状部によって軸線方向に移動可能に支持され、規制部材によって規制溝が係合されて筒状部の軸線方向の移動が規制されているので、第１のディスクカートリッジがディスクドライブ装置内に挿入されたとき、第１のディスクカートリッジによって規制部材の押圧部が押圧されて規制部材が移動され、規制部材による第２の位置決め部材の規制溝の係合が解除されて筒状部の軸線方向に移動可能となり、第１のディスクカートリッジの底面によって押圧されて筒状部内に沈み込んで待避することで、第１のディスクカートリッジと干渉することを防止することができる。
【００１６】
また、本発明によれば、小型の第２のディスクカートリッジがディスクドライブ装置内に挿入されたとき、第２の位置決め部材が規制部材によって規制溝が係合されて筒状部の軸線方向の移動が規制されているので、第２のディスクカートリッジが、第２の位置決め部材と第２の位置決め孔とが正規の位置からずれた位置に搬送された場合においても、第２の位置決め部材が、第２のディスクカートリッジの底面によって押圧されて筒状部内に沈み込んで退避された状態で、第２のディスクカートリッジが装着されてしまうことを防止することができる。
【発明を実施するための最良の形態】
【００１７】
先ず、本発明が適用されたディスクドライブ装置２に装着可能な標準的大きさの第１のディスクカートリッジ１１について図面を参照して説明する。図１乃至図３に示すように、この第１のディスクカートリッジ１１は、記録媒体となる第１の光ディスク１３を第１のカートリッジ本体１２内に回転可能してなるものであって、具体的に、第１のカートリッジ本体１２の内部に、第１の光ディスク１３を回転可能に収納するインナーロータ１４と一対のシャッタ板１５ａ，１５ｂとを収納している。
【００１８】
この第１のディスクカートリッジ１１に収納された第１の光ディスク１３は、図２に示すように、例えばＣＤやＤＶＤと同じ直径を１２ｃｍとなし、中心部に、ディスクドライブ装置２の後述するディスク駆動機構５に係合されるセンタ孔１３ｂが形成されている。この第１の光ディスク１３は、光ビームが照射される信号記録面１３ａ側に、合成樹脂基板の一方の面にランドとグルーブからなる所定パターンを形成し、この所定パターン上に光ビームを反射する反射層を設け、この反射層上に相変化材料、有機色素材料等からなる信号記録層を設け、この信号記録層上に光透過層を設け、光透過層側から光ビームを照射し、ランド及び／又はグルーブにデータを記録するようになっている。この第１の光ディスク１３では、記録及び／又は再生にあたって、波長が４００ｎｍ程度の光ビームを用い、光ピックアップの対物レンズに、ＣＤやＤＶＤで用いる対物レンズより高開口数のものを用いることで、ＣＤやＤＶＤより高密度に、静止画データ、動画データ、楽曲データ、コンピュータで処理される処理データ等のデータを記録することができる。なお、ディスクとしては、この他に、光磁気ディスク、磁気ディスク等を用いてもよい。また、ディスクとしては、その他、再生専用の光ディスク等の記録媒体を用いるようにしてもよい。更に、ディスクとしては、クリーニングディスクが収納されていてもよい。
【００１９】
以上のような第１の光ディスク１３を収納する第１のカートリッジ本体１２は、図２に示すように、上シェル１６と、この上シェル１６に突き合わされる２分割された下シェル１７とにより構成されている。
【００２０】
かくして構成された第１のカートリッジ本体１２の底面には、下シェル１７を構成するシェル半体１７ａ，１７ｂとの間に、ディスクドライブ装置２のディスク駆動機構５を構成する光ピックアップ７９及びディスクテーブル８２が進入する記録及び／又は再生用の第１の開口部１８が形成される。この第１の開口部１８は、第１のカートリッジ本体１２の前面側が光ピックアップ７９が進入する開口部１８ａとなり、カートリッジ本体の背面側がディスクテーブル８２が進入する開口部１８ｂとなり、開口部１８ａと開口部１８ｂとの間の第１のカートリッジ本体１２の底面の略中央部がディスクテーブル８２が第１のカートリッジ本体１２の内部へと進入する開口部１８ｃとなる。すなわち、開口部１８ａは、光ピックアップ７９を第１のカートリッジ本体１２の内部に進入させるのに足る大きさに形成されており、開口部１８ｂは、ディスクテーブル８２が開口部１８ｃに進入させるのに足る大きさに形成されており、開口部１８ｃは、ディスクテーブル８２を第１のカートリッジ本体１２の内部へと進入させるのに足る大きさに形成されている。
【００２１】
下シェル１７の内面には、図２に示すように、後述するシャッタ板１５ａ，１５ｂに長孔状に設けられたガイド孔２１，２１と係合するガイドピン１９，１９が形成されている。ガイドピン１９，１９は、インナーロータ１４の回動に従ってシャッタ板１５ａ，１５ｂが回動したときに、ガイド孔２１に沿って移動してシャッタ板１５ａ，１５ｂを回動させる。
【００２２】
下シェル１７が構成する第１のカートリッジ本体１２の下面には、図３に示すように、ディスクカートリッジ装着機構４に装着した際の位置決めを行う複数の位置決め孔２２ａ，２２ｂが設けられている。一方の位置決め孔２２ａは、真円に形成され、装着するための基準孔となるロケーションホールとなり、他方の位置決め孔２２ｂは、楕円に形成され、調整用のアライメントホールとなっている。
【００２３】
以上のように構成された第１のカートリッジ本体１２に収納されるインナーロータ１４は、図２に示すように、主面部１４ａに、第１の光ディスク１３が信号記録面１３ａを対向させるようにして載置される。このインナーロータ１４には、下シェル１７に設けられた第１の開口部１８と略同じ大きさの第２の開口部２３が形成されている。
【００２４】
また、インナーロータ１４の外周面には、インナーロータ１４を回動させるためのギヤ部２４が形成されている。このギヤ部２４の一方の側には、図４に示すように、ディスクドライブ装置２のシャッタラック部材１１１の第１の係合突起１１１ｂが係合される第１の係合凹部２５が形成され、ギヤ部２４の他方の側には、シャッタラック部材１１１の第２の係合突起１１１ｃが係合される第２の係合凹部２６が形成されている。第１の係合凹部２５は、図５に示すように、第１のディスクカートリッジ１１をディスクドライブ装置２に装填したとき、最初にシャッタラック部材１１１の第１の係合突起１１１ｂが係合される。第２の係合凹部２６は、図６に示すように、シャッタ板１５ａ，１５ｂが第１及び第２の開口部１８、２３の開放位置に移動したとき、シャッタラック部材１１１の第２の係合突起１１１ｃが係合される。また、インナーロータ１４には、図２に示すように、一対のシャッタ板１５ａ，１５ｂをそれぞれ回動可能に支持する一対の支軸２７ａ，２７ｂが突出形成されている。この一対の支軸２７ａ，２７ｂは、インナーロータ１４の中心部に対して点対称な位置、すなわち互いに１８０゜の位相差を有して配置されている。
【００２５】
このようなインナーロータ１４に取り付けられる第２の開口部２３を開閉する一対のシャッタ板１５ａ，１５ｂは、図２に示すように、互いに対称な形状をなし、インナーロータ１４の一対の支軸２７ａ，２７ｂに、１８０゜の位相差を有して回動可能に取り付けられている。このシャッタ板１５ａ，１５ｂは、略半円平板状に形成されており、基端部は、上述したインナーロータ１４の支軸２７ａ，２７ｂに回動可能に取り付けられる。
【００２６】
以上のような構成の第１のディスクカートリッジ１１には、上述した構成の他に、第１のカートリッジ本体１２の上シェル１６側の幅方向の中央領域であって、前面側から背面側に亘って膨出部が形成されている。更に、この第１の領域の裏側に図示しないが第１の光ディスク１３をディスクテーブル８２と共に挟持するためのクランピングプレート２０が配設される。
【００２７】
上述したような構成を有する第１のディスクカートリッジ１１がディスクドライブ装置２に装着される前には、図１、図３及び図４に示すような状態になっている。すなわち、一対のシャッタ板１５ａ，１５ｂは、第１の開口部１８の閉塞位置にロックされている。このとき、インナーロータ１４の第１の係合凹部２５は、第１のカートリッジ本体１２の一側面より外部に臨まされ、この状態で、第１のディスクカートリッジ１１は、略円弧の前面を挿入端として、ディスクドライブ装置２に装填される。
【００２８】
第１のディスクカートリッジ１１は、ディスクドライブ装置２に挿入されると、先ず、シャッタ板１５ａ，１５ｂの開放動作を開始する。すなわち、図５に示すように、第１のカートリッジ本体１２の一側面より外部に臨まされたインナーロータ１４の第１の係合凹部２５に、ディスクドライブ装置２のシャッタラック部材１１１の第１の係合突起１１１ｂが係合することで、インナーロータ１４を回動可能な状態にし、更にシャッタラック部材１１１が第１のディスクカートリッジ１１の前方に進むことでインナーロータ１４を図５中の矢印ａ方向に回動し、次いで、シャッタラック部材１１１のラック部がギヤ部２４に噛合し、更に、シャッタラック部材１１１が第１のディスクカートリッジ１１の前方に進むことで、インナーロータ１４を回転する。これによって、インナーロータ１４のガイドピン１９にガイド孔２１が係合され、支軸２７ａ，２７ｂに軸支されたシャッタ板１５ａ，１５ｂは、支軸２７ａ，２７ｂを回動支点として、第１の開口部１８，４４を開放する図５中の矢印ｂ方向に回動する。
【００２９】
シャッタラック部材１１１のラック部とインナーロータ１４のギヤ部２４との噛合状態が終了すると、図６に示すように、シャッタ板１５ａ，１５ｂの回動動作が停止し、次いで、シャッタラック部材１１１の第２の係合突起１１１ｃは、インナーロータ１４の第２の係合凹部２６と係合する。これによって、シャッタ板１５ａ，１５ｂは、第１の開口部１８，４４を完全に解放した状態が保持されることになる。
【００３０】
この後、第１の開口部１８ｂからは、ディスク駆動機構５を構成するディスクテーブル８２が進入し、このディスクテーブル８２は、第１の光ディスク１３のセンタ孔１３ｂに係合すると共にクランピングプレート２０とで第１の光ディスク１３を回転可能にクランプする。また、ディスクカートリッジ装着機構４に装着された第１のディスクカートリッジ１１の開放された第１の開口部１８からは、前面側から光ピックアップ７９が進入する。そして、第１の光ディスク１３は、ディスク駆動機構５によって回転駆動され、信号記録面１３ａに光ピックアップ７９から出射された光ビームが照射され、光ピックアップ７９が信号記録面１３ａで反射された戻りの光ビームを検出することで、情報信号の記録を行い、また、第１の光ディスク１３に記録されたデータの読み出しを行う。
【００３１】
一方、このディスクドライブ装置２から第１のディスクカートリッジ１１を排出する際は、上述したシャッタラック部材１１１が相対的に第１のディスクカートリッジ１１より後退することで、インナーロータ１４を逆回転し、一対のシャッタ板１５ａ，１５ｂが第１のカートリッジ本体１２の第１の開口部１８を閉塞する。
【００３２】
次に、本発明が適用されたディスクドライブ装置２に装着可能な第１のディスクカートリッジ１１より小型の第２のディスクカートリッジ３１について図面を参照して説明する。図７乃至図９に示すように、この第２のディスクカートリッジ３１は、第１のディスクカートリッジ１１に用いられている第１の光ディスク１３より小径の例えば８ｃｍの光ディスクを記録媒体に用いるものであって、記録容量は標準的大きさの第１の光ディスク１３より少ないものの携帯性に優れている。
【００３３】
図７乃至図９に示すように、本発明を適用した第２のディスクカートリッジ３１は、第２のカートリッジ本体３２の内部に、第２の光ディスク３３が収納されるローテーションホイール３４と、一対のシャッタ板３５ａ，３５ｂとを収納してなる。この第２のカートリッジ本体３２は、互いに組み合わされる一組の上シェル３６と下シェル３７とを突き合わせて構成されている。
【００３４】
この第２のディスクカートリッジ３１に用いられる第２の光ディスク３３は、中心部に、ディスクドライブ装置２のディスク駆動機構５に係合されるセンタ孔３３ａが形成されている。なお、第２の光ディスク３３は、上述した第１のディスクカートリッジ１１に用いられている第１の光ディスク１３より外径が小さいだけであって、第１の光ディスク１３と同じ記録フォーマットで情報信号が記録される。
【００３５】
この第２のカートリッジ本体３２は、上シェル３６側の幅方向の中央領域であって、前面側から背面側に亘って膨出部が形成されている。また、この第１の領域の裏側には、図示しないが光ディスク３３をディスクテーブルと共に挟持するためのクランピングプレート３８が配設される。
【００３６】
このような上シェル３６に結合される下シェル３７は、図８、図９及び図１０に示すように、光ピックアップ７９やディスクテーブル８２が進入できるように開放された第１の開口部３９が形成されている。この第１の開口部３９は、前面側の開放端から第２の光ディスク３３の信号記録面の一部を内外周に亘って外方へ臨ませる光ピックアップ用開口部３９ａと、この光ピックアップ用開口部３９ａと連続した第２の光ディスク３３のセンタ孔３３ａを外部に臨ませる回転駆動用開口部３９ｂとから構成されている。
【００３７】
更に、下シェル３７の前面には、両脇に、第２のディスクカートリッジ３１をディスクドライブ装置２に挿入される際に、ディスクドライブ装置２側の挿入ガイド部材となる挿入ガイドピンが係合する挿入ガイド溝４１，４１が形成されている。
【００３８】
更に、下シェル３７の下面には、図８に示すように、ディスクカートリッジ装着機構４に装着した際に位置決めされる複数の位置決め孔４２ａ，４２ｂが設けられている。一方の位置決め孔４２ａは、真円に形成され、装着するための基準孔となるロケーションホールとなり、他方の位置決め孔４２ｂは、楕円に形成され、調整用のアライメントホールとなっている。
【００３９】
上シェル３６と下シェル３７とが突き合わされると、第２のカートリッジ本体３２の内部には、ローテーションホイール３４を収納する収納部が構成される。この収納部に収納されるローテーションホイール３４は、図９に示すように、第２の光ディスク３３が収納される。このローテーションホイール３４の主面部には、下シェル３７に設けられた第１の開口部３９と略同じ大きさの第２の開口部４３が形成されている。
【００４０】
この第２の開口部４３は、下シェル３７の第１の開口部３９と一致したとき、収納した第２の光ディスク３３を外部に臨ませる。すなわち、この第２の開口部４３は、第１の開口部３９の光ピックアップ用開口部３９ａに対応した開口部と回転駆動用開口部３９ｂに対応した開口部で構成されている。
【００４１】
ローテーションホイール３４の第２の開口部４３近傍には、図９に示すように、外側に突出して、ディスクドライブ装置２のシャッタ開放アームが係合する凹状の被操作部４４が形成されている。この被操作部４４は、ローテーションホイール３４の回転に伴って、第１の開口部３９が形成された下シェル３７の前面より外部に露出し、第１の開口部３９の幅方向を移動する。
【００４２】
以上のようなローテーションホイール３４は、図９に示すように、コイルバネ等で構成された付勢部材４５によって、シャッタ板３５ａ，３５ｂが、第１及び第２の開口部３９，４３を閉塞する方向に回動付勢されている。この付勢部材４５は、一端がローテーションホイール３４の係止片４５ａに係止され、他端が上シェル３６の内面に形成された係止突起４５ｂに係止されている。
【００４３】
以上のように構成されたローテーションホイール３４は、付勢部材４５によりシャッタ板３５ａ，３５ｂが第１及び第２の開口部３９，４３を閉塞する方向に付勢されており、被操作部４４がディスクドライブ装置２のシャッタ開放アームによって、シャッタ板３５ａ，３５ｂが第１及び第２の開口部３９，４３を開放する方向に回転される。
【００４４】
下シェル３７に形成された第１の開口部３９やローテーションホイール３４に形成された第２の開口部４３を開閉する一対のシャッタ板３５ａ，３５ｂは、図９及び図１０に示すように、シャッタ板３５ａが大きく、シャッタ板３５ｂがシャッタ板３５ａに対して小さく形成されている。
【００４５】
図９に示すように、大きい方の第１のシャッタ板３５ａは、第１の回動支持部４７によって、上シェル３６の内面に形成された第１の支軸４６に回動支持される。
【００４６】
更に、第１のシャッタ板３５ａの第２の光ディスク３３側の面には、ローテーションホイール３４の主面部に形成されたガイド溝４８に係合するガイド突起４９が形成されている。このガイド突起４９は、ローテーションホイール３４のガイド溝４８に係合することで、第１のシャッタ板３５ａの回動を規制する。
【００４７】
また、第２のシャッタ板３５ｂは、第２の回動支持部５１によって第１のシャッタ板３５ａに回動可能に取り付けられる。この第２のシャッタ板３５ｂには、図９及び図１０に示すように、ローテーションホイール３４に形成された第１の制御突起５２が係合される第１のカム溝５３が形成されている。この第１のカム溝５３は、第１の制御突起５２が係合することで、第２のシャッタ板３５ｂの回動を制御する。第１のカム溝５３は、ローテーションホイール３４の外周側の幅狭な幅狭部５３ａと、ローテーションホイール３４の中央よりの幅狭部５３ａより拡幅した拡幅部５３ｂとからなる。幅狭部５３ａは、第２のシャッタ板３５ｂが第１及び第２の開口部３９，４３を開放する際の前半部分で第２のシャッタ板３５ｂを回動させる第１の作用部であり、拡幅部５３ｂは、第１の制御突起５２が移動したとき、すなわち第２のシャッタ板３５ｂが第１及び第２の開口部３９，４３を開放する際に、後半部分で何も作用しない第１の非作用部となる。
【００４８】
更に、第２のシャッタ板３５ｂには、ローテーションホイール３４の主面部に形成された第２のカム溝５４に係合する第２の制御突起５５が形成されている。第２のカム溝５４は、ローテーションホイール３４の中央側で第１の方向に湾曲した第１の湾曲部５４ａと、ローテーションホイール３４の外周側で第１の湾曲部５４ａとは反対側の第２の方向に湾曲した第２の湾曲部５４ｂとからなる。第１の湾曲部５４ａは、第２のシャッタ板３５ｂが第１及び第２の開口部３９，４３を開放する際に、前半部分で何も作用しない第２の非作用部であり、第２の湾曲部５４ｂは、第２のシャッタ板３５ｂが第１及び第２の開口部３９，４３を開放する際に、後半部分で作用する第２の作用部となる。したがって、図９及び図１０に示すように、第１の湾曲部５４ａは、第２のシャッタ板３５ｂが第１及び第２の開口部３９，４３を開放する際に、前半部分で何も作用せず、第２の制御突起５５が第２の湾曲部５４ｂに移動すると、すなわち第２のシャッタ板３５ｂの回動の後半部分で、第２の湾曲部５４ｂは、上述の第１のカム溝５３の幅狭部５３ａに代わって、第２のシャッタ板３５ｂを回動する。
【００４９】
上述したような構成を有する第２のディスクカートリッジ３１がディスクカートリッジ装着機構４に装着される前には、図１０に示すような状態にある。すなわち、一対のシャッタ板３５ａ，３５ｂが第１及び第２の開口部３９，４３を閉塞しているとき、ローテーションホイール３４は、付勢部材４５の付勢力により図１０中の矢印ｃ方向に回動付勢された状態にあり、被操作部４４は、第１の開口部３９の一側縁に位置している。そして、一対のシャッタ板３５ａ，３５ｂは、互いに噛み合うことによって第１及び第２の開口部３９，４３を閉塞している。
【００５０】
このとき、第１のシャッタ板３５ａのガイド突起４９は、ローテーションホイール３４のガイド溝４８のローテーションホイール３４の中央よりの一端に位置している。また、第２のシャッタ板３５ｂの第１のカム溝５３には、第１の制御突起５２が第１の作用部である幅狭部５３ａに係合している。更に、第２のシャッタ板３５ｂの第２の制御突起５５は、第２の非作用部であるローテーションホイール３４の第２のカム溝５４の第１の湾曲部５４ａに係合している。かくして、第２のディスクカートリッジ３１は、図８に示すように、下シェル３７の第１の開口部３９を閉塞した状態となっている。
【００５１】
そして、第２のディスクカートリッジ３１は、ディスクドライブ装置２に対して略円弧状に形成された前面を挿入端として挿入される。すると、ローテーションホイール３４は、被操作部４４にディスクドライブ装置２のシャッタ開放アームが係合され、このシャッタ開放アームによって、付勢部材４５の付勢力に抗して図１０中の反矢印ｃ方向に回動される。すると、ローテーションホイール３４のガイド溝４８にガイド突起４９が係合された第１のシャッタ板３５ａは、上シェル３６の第１の支軸４６を中心にして、図１０中の矢印ｄ方向に回動する。第１のシャッタ板３５ａの回動に伴って、第２のシャッタ板３５ｂは、第１のシャッタ板３５ａに対して図１０中の矢印ｅ方向に回動する。第２のシャッタ板３５ｂの回動開始時は、ローテーションホイール３４の第１の制御突起５２が係合した第１の作用部となっている第１のカム溝５３の幅狭部５３ａによって回動される。なお、第２のシャッタ板３５ｂの回動開始時において、第２のシャッタ板３５ｂの第２の制御突起５５が係合したローテーションホイール３４の第２のカム溝５４の第１の湾曲部５４ａは、第２の非作用部となっており、何も作用しない。
【００５２】
更に、ローテーションホイール３４が図１０中の反矢印ｃ方向に回動すると、図１１に示すように、ローテーションホイール３４のガイド溝４８に係合したガイド突起４９は、ガイド溝４８のローテーションホイール３４の外周側の他端に移動する。第１のシャッタ板３５ａの回動に伴って、第２のシャッタ板３５ｂは、第１のシャッタ板３５ａに対して図１１中の矢印ｄ方向に回動する。すると、ローテーションホイール３４の第１の制御突起５２は、第１の作用部となっている第１のカム溝５３の幅狭部５３ａから第１の非作用部となっている第１のカム溝５３の拡幅部５３ｂに移動し、第２のシャッタ板３５ｂに対しても作用しなくなる。これに代わって、第２のシャッタ板３５ｂの第２の制御突起５５は、第２の非作用部となっている第１の湾曲部５４ａから第２の作用部となっている第２の湾曲部５４ｂに移動し、第２のシャッタ板３５ｂを図１１中の矢印ｅ方向に回動する。これにより、図１２に示すように、被操作部４４は、第１の開口部３９の端部に位置し、第１及び第２の開口部３９，４３は、開放され、ローテーションホイール３４内に収納されている第２の光ディスク３３を内外周に亘って外部に臨ませることができる。
【００５３】
第１及び第２の開口部３９，４３が開放されると、ローテーションホイール３４内に回転可能に収納されている第２の光ディスク３３は、ディスクドライブ装置２側のディスク駆動機構５のディスクテーブル８２にセンタ孔３３ａが係合すると共に、上シェル３６に設けられたクランピングプレート３８とディスクテーブル８２によって挟持されて回転可能な状態になる。
【００５４】
第２の光ディスク３３に情報信号を記録し、また、第２の光ディスク３３に記録された情報信号を再生するときには、第２の光ディスク３３がディスクテーブル８２によって回転される。これと共に、第１及び第２の開口部３９，４３内に進入した光ピックアップ７９は、第２の光ディスク３３の信号記録領域に半導体レーザより出射された光ビームを対物レンズで集光し、第２の光ディスク３３の信号記録面に照射し、この信号記録面で反射された戻りの光ビームを検出することによって、第２の光ディスク３３に情報信号を記録し、又は、第２の光ディスク３３に記録された情報信号の読み出しを行う。
【００５５】
なお、第２のディスクカートリッジ３１がディスクドライブ装置２より排出されると、ローテーションホイール３４は、付勢部材４５の付勢力により図１１中の矢印ｃ方向に回動し、図１１の状態から図８の状態に戻る。
【００５６】
以上のような第１又は第２のディスクカートリッジ１１，３１が装着され、記録及び／又は再生等が行われる本発明が適用されたディスクドライブ装置２は、図１３に示すように、ベース３と、このベース３に設けられ、第１又は第２のディスクカートリッジ１１，３１が選択的に装着されるディスクカートリッジ装着機構４と、このディスクカートリッジ装着機構４によって選択的に装着される第１又は第２のディスクカートリッジ１１，３１に回転可能に収納されたディスクである第１又は第２の光ディスク１３，３３を回転させるディスク駆動機構５とを備えている。
【００５７】
このディスクドライブ装置２では、第１又は第２のディスクカートリッジ１１，３１が挿入されると、第１又は第２のディスクカートリッジ１１，３１がディスクカートリッジ装着機構４に装着されて、ディスク駆動機構５で回転され、記録及び／又は再生等が行われる。
【００５８】
ディスクカートリッジ装着機構４及びディスク駆動機構５が設けられたベース３には、図１３に示すように、上面に、後述する光ピックアップ７９の対物レンズ８３を第１又は第２の光ディスク１３，３３の信号記録面側に臨ませる開口部３ａが形成されている。
【００５９】
このベース３に設けられ、第１又は第２のディスクカートリッジ１１，３１が選択的に装着されるディスクカートリッジ装着機構４は、図１４及び図１５に示すように、第１のディスクカートリッジ１１を位置決めする第１の位置決め部材６１と、第１の位置決め部材６１より内側に設けられ、第２のディスクカートリッジ３１を位置決めする第２の位置決め部材６２，６３と、第１のディスクカートリッジ１１が装着されるときに第２の位置決め部材６２，６３を待避させる待避機構６４と、第２の位置決め部材６２，６３の待避動作を規制する規制機構６５とを備えている。
【００６０】
第１のディスクカートリッジ１１を位置決めする第１の位置決め部材６１は、図１４に示すように、ベース３に、第１のディスクカートリッジ１１の底面に形成された位置決め孔２２ａ，２２ｂの配置位置に応じて２箇所配設されている。この第１の位置決め部材６１は、図１５に示すように、第１のディスクカートリッジ１１が装着される基体部６１ａと、この基体部６１ａに設けられ、第１のディスクカートリッジ１１の底面に形成された位置決め孔２２ａ，２２ｂに係合して位置決めする突部６１ｂとを有する。
【００６１】
基体部６１ａは、頂面に、第１のディスクカートリッジ１１が装着される装着面６１ｃが設けられている。また、基体部６１ａは、略中央に、第１のディスクカートリッジ１１の底面に形成された位置決め孔２２ａ，２２ｂに係合してベース３の上面と平行な面方向の位置決めをする突部６１ｂが突設されている。突部６１ｂは、位置決め孔２２ａ，２２ｂと略同様の外径を有する略円柱形状であり、先端が、位置決め孔２２ａ，２２ｂに挿入しやすくなるように、略半球状や略円錐形等に形成されている。
【００６２】
第２のディスクカートリッジ３１を位置決めをする第２の位置決め部材６２，６３は、図１６（Ａ）に示すように、第２のディスクカートリッジ３１の底面に形成された位置決め孔４２ａ，４２ｂに係合される本体部６２ａと、この本体部６２ａの基端に形成されて後述する付勢部材６８が外周部に取り付けられる取付部６２ｂとを有する。
【００６３】
この本体部６２ａは、位置決め孔４２ａ，４２ｂと略同様の外径を有する略円柱形状であり、先端が、位置決め孔４２ａ，４２ｂに挿入しやすくなるように略半球状や略円錐形状等に形成されている。また、本体部６２ａは、側面に、後述する規制機構６５の規制部材６９に係合される規制溝６２ｃが形成されている。この規制溝６２ｃは、本体部６２ａの外周部に周回り方向に形成されている。本体部６２ａは、後述する規制機構６５の規制部材６９に規制溝６２ｃが係合されて筒状部６７の軸線方向の移動が規制されているとき、後述する待避機構６４の筒状部６７の装着面６７ａに対して先端が位置決め孔４２ａ，４２ｂに係合できる程度突出する長さを有している。更に、本体部６２ａは、後述する待避機構６４の筒状部６７に軸線方向に移動可能に支持されている。
【００６４】
本体部６２ａの基端に形成された取付部６２ｂは、本体部６２ａよりやや外径が小さく、本体部６２ａと同心の略円柱形状に形成されている。また、取付部６２ｂは、バネ等の付勢部材６８が、外周部に取り付けられる。第２の位置決め部材６２，６３は、取付部６２ｂの外周部に取り付けられた付勢部材６８が筒状部６７の底面と本体部６２ａの底面とに当接されることで、後述する待避機構６４の筒状部６７の軸線方向に対して突出する図１６（Ａ）中の矢印ｆ方向に付勢されている。
【００６５】
更に、取付部６２ｂは、先端にストッパー６６が設けられている。このストッパー６６は、例えば、取付部６２ｂの先端面にネジ孔６２ｄが形成され、このネジ孔６２ｄに取付部６２ｂの外径より大径の座金を介した結合ボルトからなる。ストッパー６６は、第２の位置決め部材６２，６３が付勢部材６８により筒状部６７の軸線方向に対して突出する方向に付勢されても、筒状部６７の装着面６７ａから必要以上に突出することを防止する。なお、ストッパー６６は、座金等からなることに限定されるものではない。
【００６６】
第２の位置決め部材６２，６３を第１のディスクカートリッジ１１が装着されるときに待避させる待避機構６４は、図１４及び図１５に示すように、ベース３に、第１の位置決め部材６１より内側に設けられ、第２のディスクカートリッジ３１の底面に形成された位置決め孔４２ａ，４２ｂの配置位置に応じて２箇所配設されている。この待避機構６４は、図１６（Ａ）に示すように、第２の位置決め部材６２，６３を軸線方向に移動可能に支持する筒状部６７と、この筒状部６７内に配設され、第２の位置決め部材６２，６３を筒状部６７の軸線方向に対して突出する方向に付勢する付勢部材６８とを有する。
【００６７】
この筒状部６７は、頂面に、第１及び第２のディスクカートリッジ１１，３１が装着される装着面６７ａが設けられている。装着面６７ａは、第１のディスクカートリッジ１１を安定して装着させるため、第１の位置決め部材６１の装着面６１ｃと同一の高さに設けられている。また、筒状部６７は、内周面が、第２の位置決め部材６２，６３の本体部６２ａが筒状部６７の軸線方向に移動可能な内径を有し、筒状部６７の軸線方向の移動をガイドするガイド部６７ｂと、このガイド部６７ｂと連続し、本体部６２ａの内径よりやや小さくて付勢部材６８の外径よりやや大きい内径を有する収納部６７ｃと、この収納部６７ｃと連続し、付勢部材６８の外径よりやや小さくて取付部６２ｂが挿通することができる内径を有する貫通孔６７ｄとを有する。
【００６８】
このガイド部６７ｂは、図１６（Ｂ）に示すように、第２の位置決め部材６２，６３の本体部６２ａが完全に沈み込める程度の深さを有している。また、ガイド部６７ｂの底面は、収納部６７ｃが本体部６２ａの外径よりやや小さい内径を有することで、本体部６２ａの底面と当接して、第２の位置決め部材６２，６３が筒状部６７内に必要以上に沈み込むことを防止するストッパーの役割を果たす。更に、収納部６７ｃの底面は、貫通孔６７ｄが付勢部材６８の外径よりやや小さい内径を有することで、第２の位置決め部材６２，６３の取付部６２ｂの外周部に取り付けられた付勢部材６８と当接して、第２の位置決め部材６２，６３を、筒状部６７の軸線方向に対して突出する図１６（Ｂ）中の矢印ｆ方向に付勢させる。
【００６９】
更に、筒状部６７は、図１６（Ａ）に示すように、側面に、第２の位置決め部材６２，６３が付勢部材６８に付勢されて座金等のストッパー６６によって筒状部６７の装着面６７ａから必要以上に突出することが防止されている状態のときに、筒状部６７内に支持されている第２の位置決め部材６２，６３の規制溝６２ｃを露出する開口部６７ｅが形成されている。
【００７０】
第２の位置決め部材６２，６３を筒状部６７の軸線方向に対して突出する方向に付勢する付勢部材６８は、バネ等の弾性部材である。付勢部材６８は、第２の位置決め部材６２，６３の取付部６２ｂの外周部に取り付けられ、本体部６２ａの底面と筒状部６７の収納部６７ｃの底面とに当接され、第２の位置決め部材６２，６３を、筒状部６７の軸線方向に対して突出する図１６（Ａ）中の矢印ｆ方向に付勢させる。また、付勢部材６８は、図１６（Ｂ）に示すように、第２の位置決め部材６２，６３の本体部６２ａの底面が、ガイド部６７ｂの底面に当接されて必要以上に沈み込まないように防止するストッパーの役割を果たすように、第２の位置決め部材６２，６３の本体部６２ａよりやや小さい外径を有する。
【００７１】
待避機構６４による第２の位置決め部材６２，６３の待避動作を規制する規制機構６５は、図１４及び図１５に示すように、第２の位置決め部材６２，６３の規制溝６２ｃに係脱するように移動し、第２の位置決め部材６２，６３の筒状部６７の軸線方向の移動を規制する規制部材６９と、この規制部材６９に設けられ、第１のディスクカートリッジ１１によって押圧されて規制部材６９を移動させる押圧部７０とを有する。
【００７２】
この規制部材６９は、略矩形薄板形状であり、第２のディスクカートリッジ３１の底面に形成された位置決め孔４２ａ，４２ｂの配置位置に応じて配設された筒状部６７に支持されている第２の位置決め部材６２，６３を、同時に係合できるように配設されている。具体的に、規制部材６９は、第２のディスクカートリッジ３１の底面に形成された位置決め孔４２ａ，４２ｂが第２のディスクカートリッジ３１の挿入方向と略直交する方向に設けられているので、第２の位置決め部材６２，６３を同時に係合できるように、規制部材６９の長辺が、第２のディスクカートリッジ３１の挿入方向と略直交する方向に配設されている。
【００７３】
また、規制部材６９は、一端の近傍に、第１のディスクカートリッジ１１によって押圧されて規制部材６９を移動させる押圧部７０が設けられている。この押圧部７０は、略円柱形状のピンを規制部材６９にかしめたり、規制部材６９の一端を第１のディスクカートリッジ１１の装着方向に略直角に折り曲げた折曲片等からなる。また、押圧部７０は、第１のディスクカートリッジ１１と当接するが第２のディスクカートリッジ３１とは当接しない程度、ベース３の中心部、すなわち図示しない後述するディスク駆動機構５のディスクテーブル８２から離れて設けられている。
【００７４】
また、規制部材６９には、開口部７１が形成されている。この開口部７１の一辺には、第１の係合部７２と非係合部７３とがテーパを介して連続して形成されている。第１の係合部７２は、第２の位置決め部材６２の規制溝６２ｃに係合し、第２の位置決め部材６２の筒状部６７の軸線方向の移動を規制する。非係合部７３は、第１のディスクカートリッジ１１によって押圧部７０が押圧されて規制部材６９が第１のディスクカートリッジ３１の挿入方向と略直交する方向に対して押圧部７０が設けられた一端側に移動されたとき、第２の位置決め部材６２と規制部材６９とが干渉するのを待避させる。
【００７５】
第１の係合部７２は、第２の位置決め部材６２の規制溝６２ｃを係合することで、第２の位置決め部材６２の筒状部６７の軸線方向の移動を規制し、第１のディスクカートリッジ１１によって押圧部７０が押圧されて規制部材６９が第１のディスクカートリッジ３１の挿入方向と略直交する方向に対して押圧部７０が設けられた一端側に移動されたとき、第２の位置決め部材６２が非係合部７３に移動されることで、第１の係合部７２による規制溝６２ｃの係合が外れ、第２の位置決め部材６２の筒状部６７の軸線方向の移動規制を解除する。
【００７６】
また、第１の係合部７２は、第１のディスクカートリッジ３１の挿入方向と略直交する方向に対して押圧部７０が設けられた一端側と反対側に移動されたとき、第２の位置決め部材６２が非係合部７３から第１の係合部７２に移動されることで、規制溝６２ｃを係合し、第２の位置決め部材６２の筒状部６７の軸線方向の移動を規制する。
【００７７】
また、規制部材６９は、他端に、第１のディスクカートリッジ３１の挿入方向と略直交する方向に対して押圧部７０が設けられた一端側と反対側に突出し、第２の位置決め部材６３の規制溝６２ｃに係合する第２の係合部７４が設けられている。
【００７８】
第２の係合部７４は、第２の位置決め部材６３の規制溝６２ｃを係合することで、第２の位置決め部材６３の筒状部６７の軸線方向の移動を規制し、第１のディスクカートリッジ１１によって押圧部７０が押圧されて規制部材６９が第１のディスクカートリッジ３１の挿入方向と略直交する方向に対して押圧部７０が設けられた一端側に移動されたとき、第２の位置決め部材６３と干渉しない位置まで移動されることで、第２の係合部７４による規制溝６２ｃの係合が外れ、第２の位置決め部材６３の筒状部６７の軸線方向の移動規制を解除する。
【００７９】
また、第２の係合部７４は、第１のディスクカートリッジ３１の挿入方向と略直交する方向に対して押圧部７０が設けられた一端側と反対側に移動されたとき、第２の位置決め部材６３の規制溝６２ｃに進入することで、規制溝６２ｃを係合し、第２の位置決め部材６３の筒状部６７の軸線方向の移動を規制する。
【００８０】
また、規制機構６５は、図１５に示すように、規制部材６９をベース３に対して、第１のディスクカートリッジ３１の挿入方向と略直交する方向に対して押圧部７０が設けられた一端側と反対側に付勢する付勢部材７５を有する。この付勢部材７５は、バネ等の弾性部材である。また、付勢部材７５は、規制部材６９とベース３との間に取り付けられ、詳細に図示しないが、例えば規制部材６９の押圧部７０とベース３とにそれぞれ設けられた係止片７５ａ，７５ｂに係止されて取り付けられ、図１５中の矢印ｇ方向に、規制部材６９を付勢する。
【００８１】
この付勢部材７５によって、規制部材６９は、第１のディスクカートリッジ１１が排出され、第１のディスクカートリッジ１１による押圧部７０の押圧が解除された際に、第１のディスクカートリッジ３１の挿入方向と略直交する方向に対して押圧部７０が設けられた一端側と反対側である図１５中の矢印ｇ方向に付勢されて移動されることにより、第１及び第２の係合部７２，７４が規制溝６２ｃに係合され、第２の位置決め部材６２，６３の筒状部６７の軸線方向の移動を規制する。
【００８２】
また、規制機構６５は、図１５に示すように、ベース３に、第２の位置決め部材６２，６３の規制溝６２ｃを係脱するように移動する規制部材６９をガイドするガイド部材７６が設けられている。例えば、このガイド部材７６は、第２の位置決め部材６２，６３間に設けられている。また、ガイド部材７６は、頂面に、規制部材６９をガイドするガイド面７６ａを有する略円柱形状である。ガイド部材７６は、規制部材６９が第２の位置決め部材６２，６３の規制溝６２ｃを係脱するために移動する際に、歪んだりしないように支持するとともに、安定して移動できるようにガイドする。
【００８３】
また、ベース３には、図１３に示すように、第１のディスクカートリッジ１１が挿入されたとき、第１のディスクカートリッジ１１が装着され、高さ方向の基準となる高さ基準面７７ａを有する第１の装着基準部７７が設けられている。更に、ベース３には、第２のディスクカートリッジ３１が挿入されたとき、第２のディスクカートリッジ３１が装着され、高さ方向の基準となる高さ基準面７８ａを有する第２の装着基準部７８が設けられている。第２の装着基準部７８は、第２のディスクカートリッジ３１が第１のディスクカートリッジより小型であるため、第１の装着基準部７７より内側に設けられている。
【００８４】
更に、第１及び第２の装着基準部７７，７８は、第２の装着基準部７８が第１の装着基準部７７より内側に設けられているので、第１のディスクカートリッジ１１にも装着されるため、同一の高さに設けられている。また、第１の位置決め部材６１の装着面６１ｃ及び待避機構６４の筒状部６７の装着面６７ａは、第１及び第２のディスクカートリッジ１１，３１を安定して装着させるため、第１及び第２の装着基準部７７，７８の高さ基準面７７ａ，７８ａと同一の高さに設けられている。
【００８５】
次に、以上のように構成されたディスクカートリッジ装着機構４によって選択的に装着される第１又は第２のディスクカートリッジ１１，３１に回転可能に収納されたディスクである第１又は第２の光ディスク１３，３３を回転させるディスク駆動機構５について説明する。
【００８６】
このディスク駆動機構５は、図１３に示すように、ベース３に設けられている。また、ディスク駆動機構５は、スピンドルモータ８１によって回転されるディスクテーブル８２を有している。このディスクテーブル８２には、第１又は第２の光ディスク１３，３３のセンタ孔１３ｂ，３３ａに係合して第１又は第２の光ディスク１３，３３をセンタリングし、更に、第１のディスクカートリッジ１１のクランピングプレート２０又は第２のディスクカートリッジ３１のクランピングプレート３８とで第１又は第２の光ディスク１３，３３を挟持する。そして、ディスクテーブル８２は、第１又は第２の光ディスク１３，３３を一体的に線速度一定、角速度一定又はこれらの組み合わせで回転する。
【００８７】
更に、本発明が適用されたディスクドライブ装置２は、ベース３に、このディスク駆動機構５によって回転される第１又は第２の光ディスク１３，３３に光ビームを照射して反射された戻り光を検出することによって第１又は第２の光ディスク１３，３３にデータを記録し、又は、第１又は第２の光ディスク１３，３３に記録されているデータを読み出す光ピックアップ７９と、この光ピックアップ７９を第１又は第２の光ディスク１３，３３の径方向に送り操作するスレッド機構８０とを備えている。
【００８８】
第１又は第２の光ディスク１３，３３に記録されているデータを読み出す光ピックアップ７９は、図１３に示すように、波長が４００ｎｍ程度の光ビームを出射する半導体レーザ、この光ビームを集光する対物レンズ８３、第１及び第２の光ディスク１３，３３で反射された戻りの光ビームを検出する光検出器等を備えている。光ピックアップ７９は、第１又は第２の光ディスク１３，３３で反射された戻りの光ビームを検出することによって、対物レンズ８３を光軸方向及び記録トラックに直交する方向に変位し、フォーカシングサーボ、トラッキングサーボ等の制御を行う。また、光ピックアップ７９は、第１又は第２の光ディスク１３，３３に光ビームを照射することによって、データを記録し、又は、第１又は第２の光ディスク１３，３３で反射された戻りの光ビームを検出することによって、第１又は第２の光ディスク１３，３３に記録されているデータの読み出しを行う。このように構成される光ピックアップ７９は、ベース３のディスク駆動機構５に近接して設けられた開口部３ａより外部に臨まされ、第１又は第２の光ディスク１３，３３と対向するようになっている。開口部３ａに配設された光ピックアップ７９は、スレッド機構８０によって、開口部３ａ内において、第１又は第２の光ディスク１３，３３の径方向に送り操作される。
【００８９】
第１又は第２の光ディスク１３，３３の径方向に送り操作するスレッド機構８０は、図１３に示すように、一又は複数のガイド軸８０ａを有し、光ピックアップ７９が、このガイド軸８０ａに、第１又は第２の光ディスク１３，３３の径方向に直線移動可能に取り付けられている。そして、スレッド機構８０は、図示しないモータやギヤ列によって構成された駆動部やリニアモータによって構成された駆動部によって、ガイド軸８０ａに沿って移動される。
【００９０】
具体的に、光ピックアップ７９は、第１のディスクカートリッジ１１の記録及び／又は再生を行うとき、第１のカートリッジ本体１２に形成された第１の開口部１８内の開口部１８ａから臨まされた第１の光ディスク１３と対向し、開口部１８ａの範囲内で第１の光ディスク１３の径方向に移動される。
【００９１】
また、光ピックアップ７９は、第２のディスクカートリッジ３１の記録及び／又は再生を行うとき、第２のカートリッジ本体３２に形成された第１の開口部３９内の光ピックアップ用開口部３９ａから臨まされた第２の光ディスク３３と対向し、光ピックアップ用開口部３９ａの範囲内で第２の光ディスク３３の径方向に移動される。
【００９２】
次に、以上のように構成された本発明が適用されたディスクカートリッジ装着機構４及びディスクドライブ装置２のローディング及びアンローディングのときの動作について説明する。
【００９３】
本発明が適用されたディスクドライブ装置２は、ビデオカメラ装置１に第１のディスクカートリッジ１１が挿入され、挿入された第１のディスクカートリッジ１１が、ディスクカートリッジ装着機構４に位置決めされて装着され、ディスクカートリッジ装着機構４に位置決めされて装着された第１のディスクカートリッジ１１に回転可能に収納された第１の光ディスク１３が、ディスク駆動機構５によって回転され、光ピックアップ７９等で記録及び／又は再生等される動作について説明する。
【００９４】
ディスクカートリッジ装着機構４は、略円弧状の前面を挿入端として第１のディスクカートリッジ１１が挿入されたとき、図１７（Ａ）に示すように、第１のディスクカートリッジ１１の搬送方向と略直交するように設けられた一対の搬送ローラ８４によって、第１のディスクカートリッジ１１を、カートリッジホルダ８５内に搬送する。
【００９５】
このとき、ディスクカートリッジ装着機構４は、第１のディスクカートリッジ１１のシャッタ板１５ａ，１５ｂの開放動作を開始する。ディスクカートリッジ装着機構４は、図５に示すように、第１のカートリッジ本体１２の一側面より外部に臨まされたインナーロータ１４の第１の係合凹部２５に、ディスクドライブ装置２のシャッタラック部材１１１の第１の係合突起１１１ｂが係合し、インナーロータ１４を回動可能な状態にし、更にシャッタラック部材１１１が第１のディスクカートリッジ１１の前方に進むことでインナーロータ１４を図５中の矢印ａ方向に回動し、次いで、シャッタラック部材１１１のラック部がギヤ部２４に噛合し、更に、シャッタラック部材１１１が第１のディスクカートリッジ１１の前方に進むことで、インナーロータ１４を回転させて、インナーロータ１４のガイドピン１９にガイド孔２１が係合され、支軸２７ａ，２７ｂに軸支されたシャッタ板１５ａ，１５ｂが、支軸２７ａ，２７ｂを回動支点として図５中の矢印ｂ方向に回動することで、第１のディスクカートリッジ１１の第１の開口部１８，４４を開放させる。
【００９６】
そして、ディスクカートリッジ装着機構４は、シャッタラック部材１１１のラック部とインナーロータ１４のギヤ部２４との噛合状態が終了すると、図６に示すように、シャッタ板１５ａ，１５ｂの回動動作が停止し、次いで、シャッタラック部材１１１の第２の係合突起１１１ｃがインナーロータ１４の第２の係合凹部２６と係合することで、第１のディスクカートリッジ１１のシャッタ板１５ａ，１５ｂが第１の開口部１８，４４を完全に開放した状態に保持する。
【００９７】
更に、図１７（Ａ）に示すように、第１のディスクカートリッジ１１がカートリッジホルダ８５内に搬送されている際に、ディスクカートリッジ装着機構４は、押圧部７０が、第１のディスクカートリッジ１１の略円弧状の前面部と当接され、更に第１のディスクカートリッジ１１がカートリッジホルダ８５内に搬送されるとともに、第１のディスクカートリッジ１１の側面方向、すなわち第１のディスクカートリッジ１１の挿入方向と略直交する方向に対して押圧部７０が設けられた一端側に押圧されることで、規制部材６９を、同方向に移動させる。
【００９８】
これにより、第２の位置決め部材６２は、図１８に示すように、第２の位置決め部材６２が非係合部７３に移動されることで、第１の係合部７２による規制溝６２ｃの係合が外れ、第２の位置決め部材６３が第２の係合部７４と干渉しない位置まで移動されることで、第２の係合部７４による規制溝６２ｃの係合が外れ、規制部材６９の第１及び第２の係合部７２，７４によって規制されていた筒状部６７の軸線方向に対する移動規制が解除され、筒状部６７の軸線方向に対して移動可能となる。
【００９９】
次に、ディスクカートリッジ装着機構４は、図１７（Ｂ）に示すように、カートリッジホルダ８５内で、第１及び第２の開口部１８，２３が開放されて記録及び／又は再生が可能となった第１のディスクカートリッジ１１の記録及び／又は再生を行うディスク駆動機構５及び光ピックアップ７９等と離間した状態にあるので、例えばカートリッジホルダ８５及びベース３等に亘って設けられた図示しない昇降機構によって、図１７（Ｃ）に示すように、カートリッジホルダ８５を、ディスク駆動機構５及び光ピックアップ７９等に向かって降下させる。
【０１００】
そして、ディスクカートリッジ装着機構４は、第１のディスクカートリッジ１１を、図１９に示すように、同一の高さに設けられた第１の位置決め部材６１の装着面６１ｃと筒状部６７の装着面６７ａと第１及び第２の装着基準部７７，７８の高さ基準面７７ａ，７８ａとで支持して装着する。このとき、第２の位置決め部材６２，６３は、筒状部６７の軸線方向に対して移動可能であるので、第１のディスクカートリッジ１１の底面によって筒状部６７の装着面６７ａまで押圧され、筒状部６７内に沈み込んで待避される。
【０１０１】
また、ディスクカートリッジ装着機構４は、第１の位置決め部材６１の突部６１ｂが第１のディスクカートリッジ１１の底面に形成された位置決め孔２２ａ，２２ｂに係合されて、第１のディスクカートリッジ１１のベース３と平行な面方向の位置決めをする。
【０１０２】
次に、ディスクカートリッジ装着機構４のこれらの動作によって、ディスクドライブ装置２は、第１のディスクカートリッジ１１の装着が完了し、ディスク駆動機構５及び光ピックアップ７９等によって、データの記録及び／又は再生を行うことができるようになる。すなわち、第１の光ディスク１３は、ディスク駆動機構５のディスクテーブル８２によって回転され、光ピックアップ７９によって光ビームが照射され第１の光ディスク１３で反射された戻りの光ビームを検出することによって、第１の光ディスク１３に新たなデータを記録し、また、第１の光ディスク１３に記録されているデータの読み出しを行う。
【０１０３】
次に、ディスクドライブ装置２のディスク駆動機構５によって回転され、光ピックアップ７９等によって記録及び／又は再生された第１の光ディスク１３を回転可能に収納した第１のディスクカートリッジ１１が、ディスクカートリッジ装着機構４によって排出される動作について説明する。
【０１０４】
ディスクドライブ装置２は、第１のディスクカートリッジ１１が排出されるとき、第１の光ディスク１３の記録及び／又は再生が終了すると、先ず、図１７（Ｂ）に示すように、図示しない昇降機構によって、カートリッジホルダ８５の降下時とは逆動作を行うことにより、カートリッジホルダ８５を、ディスク駆動機構５及び光ピックアップ７９等から離間するように上昇させる。
【０１０５】
このとき、第１のディスクカートリッジ１１の底面によって装着面６７ａまで押圧されて筒状部６７内に沈み込んで待避していた第２の位置決め部材６２，６３は、筒状部６７の軸線方向に対して移動可能であり、筒状部６７の軸線方向に対して突出する図１６（Ｂ）中の矢印ｆ方向に付勢する付勢部材６８によって、図１６（Ａ）に示すように、第２の位置決め部材６２，６３が筒状部６７の装着面６７ａから突出するように復元される。
【０１０６】
次に、ディスクドライブ装置２は、図１７（Ａ）に示すように、搬送ローラ８４によって、第１のディスクカートリッジ１１をカートリッジホルダ８５外に排出する。このとき、ディスクドライブ装置２は、シャッタラック部材１１１が第１のディスクカートリッジ１１の後方、すなわち挿入時と逆方向に進むことで、インナーロータ１４の第２の係合凹部２６に係合しているシャッタラック部材１１１の第２の係合突起１１１ｃが、第２の係合凹部２６から外され、第１のディスクカートリッジ１１のシャッタ板１５ａ，１５ｂの閉塞動作を開始する。そして、ディスクドライブ装置２は、更にシャッタラック部材１１１が後方に進むことで、インナーロータ１４が挿入時と逆回転し、一対のシャッタ板１５ａ，１５ｂが閉塞される。そして、ディスクドライブ装置２は、第１のディスクカートリッジ１１のシャッタ板１５ａ，１５ｂが互いに噛み合うことにより、閉塞状態を維持する。
【０１０７】
更に、ディスクドライブ装置２は、第１のディスクカートリッジ１１がカートリッジホルダ８５外に排出され、第１のディスクカートリッジ１１による押圧部７０の押圧が解除される。このとき、ディスクドライブ装置２は、第１のディスクカートリッジ１１の挿入方向と略直交する方向に対して押圧部７０が設けられた一端側と反対側である図１５中の矢印ｇ方向に付勢された付勢部材７５によって、図１４及び図１５に示すように、規制部材６９が、第１のディスクカートリッジ１１の挿入方向と略直交する方向に対して押圧部７０が設けられた一端側と反対側に移動されることにより、第２の位置決め部材６２が非係合部７３から第１の係合部７２に移動されることで第１の係合部７２によって規制溝６２ｃが係合され、第２の係合部７４が第２の位置決め部材６３の規制溝６２ｃに進入することで規制溝６２ｃが係合され、第２の位置決め部材６２，６３の筒状部６７の軸線方向の移動が規制される。
【０１０８】
次に、本発明が適用されたディスクドライブ装置２は、第２のディスクカートリッジ３１が挿入され、挿入された第２のディスクカートリッジ３１が、ディスクカートリッジ装着機構４に位置決めされて装着され、ディスクカートリッジ装着機構４に位置決めされて装着された第２のディスクカートリッジ３１に回転可能に収納された第２の光ディスク３３が、ディスク駆動機構５によって回転され、光ピックアップ７９等によって記録及び／又は再生される動作について説明する。
【０１０９】
ディスクカートリッジ装着機構４は、略円弧状の前面を挿入端として第２のディスクカートリッジ３１が挿入されたとき、図２０（Ａ）に示すように、第２のディスクカートリッジ３１の搬送方向と略直交するように設けられた一対の搬送ローラ８４によって、第２のディスクカートリッジ３１を、カートリッジホルダ８５内に搬送する。
【０１１０】
このとき、ディスクカートリッジ装着機構４は、第２のディスクカートリッジ３１のシャッタ板３５ａ，３５ｂの開放動作を開始する。ディスクカートリッジ装着機構４は、ローテーションホイール３４の被操作部４４に、ディスクドライブ装置２の図示しないシャッタ開放アームが係合され、このシャッタ開放アームによって、付勢部材４５の付勢力に抗して図１０中の反矢印ｃ方向に回動されると、ローテーションホイール３４のガイド溝４８にガイド突起４９が係合された第１のシャッタ板３５ａが、上シェル３６の第１の支軸４６を中心にして、図１０中の矢印ｄ方向に回動し、第１のシャッタ板３５ａの回動に伴って、第２のシャッタ板３５ｂが、第１のシャッタ板３５ａに対して図１０中の矢印ｅ方向に回動することで、第１及び第２の開口部３９，４０を開放する。
【０１１１】
次に、ディスクカートリッジ装着機構４は、図２０（Ｂ）に示すように、カートリッジホルダ８５内で、第１及び第２の開口部３９，４０が開放されて記録及び／又は再生が可能となった第２のディスクカートリッジ３１が記録及び／又は再生を行うディスク駆動機構５及び光ピックアップ７９等と離間した状態にあるので、例えばカートリッジホルダ８５及びベース３に亘って設けられた図示しない昇降機構によって、図２０（Ｃ）に示すように、カートリッジホルダ８５を、ディスク駆動機構５及び光ピックアップ７９等に向かって降下させる。
【０１１２】
そして、ディスクカートリッジ装着機構４は、第２のディスクカートリッジ３１を、図２１及び図２２に示すように、同一の高さに設けられた第２の位置決め部材６２，６３の筒状部６７の装着面６７ａと第２の装着基準部７８の高さ基準面７８ａとで支持して装着する。このとき、第１の位置決め部材６１は、第２のディスクカートリッジ３１よりも外側に位置している。
【０１１３】
また、ディスクカートリッジ装着機構４は、規制部材６９の第１及び第２の係合部７２，７４が規制溝６２ｃに係合されて筒状部６７の軸線方向に対して移動が規制された第２の位置決め部材６２，６３の本体部６２ａが、第２のディスクカートリッジ３１の底面に形成された第２の位置決め孔４２ａ，４２ｂに係合されて、第２のディスクカートリッジ３１のベース３と平行な面方向の位置決めをする。
【０１１４】
次に、ディスクカートリッジ装着機構４のこれらの動作によって、ディスクドライブ装置２は、第２のディスクカートリッジ３１の装着が完了し、ディスク駆動機構５及び光ピックアップ７９等によって、データの記録及び／又は再生を行うことができるようになる。すなわち、第２の光ディスク３３は、ディスク駆動機構５のディスクテーブル８２によって回転され、光ピックアップ７９によって光ビームが照射され第２の光ディスク３３で反射された戻りの光ビームを検出することによって、第２の光ディスク３３に新たなデータを記録し、また、第２の光ディスク３３に記録されているデータの読み出しを行う。
【０１１５】
次に、ディスクドライブ装置２のディスク駆動機構５によって回転され、光ピックアップ７９等によって記録及び／又は再生された第２の光ディスク３３を回転可能に収納した第２のディスクカートリッジ３１が、ディスクカートリッジ装着機構４によって排出される動作について説明する。
【０１１６】
ディスクドライブ装置２は、第２のディスクカートリッジ３１が排出されるとき、第２の光ディスク３３の記録及び／又は再生が終了すると、先ず、図２０（Ｂ）に示すように、図示しない昇降機構によって、カートリッジホルダ８５の降下時とは逆動作を行うことにより、カートリッジホルダ８５を、ディスク駆動機構５及び光ピックアップ７９等から離間するように上昇させる。
【０１１７】
次に、ディスクドライブ装置２は、図２０（Ａ）に示すように、搬送ローラ８４によって、第２のディスクカートリッジ３１をカートリッジホルダ８５外に排出する。このとき、ディスクカートリッジ装着機構４は、第２のディスクカートリッジ３１のシャッタ板３５ａ，３５ｂの閉塞動作を開始する。ディスクカートリッジ装着機構４は、ローテーションホイール３４の被操作部４４が係合されたディスクドライブ装置２の図示しないシャッタ開放アームを、開放時と逆回動することで、シャッタ板３５ａ，３５ｂが閉塞する方向に回動し、第２のディスクカートリッジのシャッタ板３５ａ，３５ｂが互いに噛み合うことでによって、第１及び第２の開口部３９，４０を閉塞する。
【０１１８】
以上のように構成された本発明は、第２の位置決め部材６２，６３が、待避機構６４の筒状部６７によって軸線方向に移動可能に支持され、第１のディスクカートリッジ１１によって押圧されて規制部材６９を移動させる押圧部７０を有する規制機構６５の規制部材６９によって規制溝６２ｃが係合されて筒状部６７の軸線方向の移動が規制されているので、第１のディスクカートリッジ１１がディスクドライブ装置２内に挿入されたとき、第１のディスクカートリッジ１１によって押圧部７０が押圧されて規制部材６９が移動されることで、第２の位置決め部材６２，６３の規制部材６９による規制溝６２ｃの係合が解除されて筒状部６７の軸線方向に移動可能となり、第１のディスクカートリッジ１１の底面によって押圧されて筒状部６７に沈み込んで待避することで、第１のディスクカートリッジ１１と干渉することを防止することができる。
【０１１９】
また、本発明は、第２のディスクカートリッジ３１がディスクドライブ装置２内に挿入されたとき、第２の位置決め部材６２，６３が規制部材６９によって規制溝６２ｃが係合されて筒状部６７の軸線方向の移動が規制されているので、第２のディスクカートリッジ３１が、第２の位置決め部材６２，６３と第２の位置決め孔４２ａ，４２ｂとが正規の位置からずれた位置に搬送された場合においても、第２の位置決め部材６２，６３が、第２のディスクカートリッジ３１の底面によって押圧されて筒状部６７内に沈み込んで退避された状態で、第２のディスクカートリッジ３１が装着されてしまうことを防止することができる。
【０１２０】
また、本発明は、第２の位置決め部材６２，６３が、待避機構６４の筒状部６７によって軸線方向に移動可能に支持され、筒状部６７内に配設された付勢部材６８によって筒状部６７の軸線方向に対して突出する方向に付勢されており、規制機構６５の規制部材６９とベース３との間に、規制部材６９が第２の位置決め部材６２，６３の規制溝６２ｃを係合する方向に付勢された付勢部材７５が設けられているので、第１のディスクカートリッジ１１が排出された際に、第１のディスクカートリッジ１１の底面によって押圧されて筒状部６７に沈み込んで待避していた第２の位置決め部材６２，６３が筒状部６７内に配設された付勢部材６８に付勢されることによって筒状部６７の装着面６７ａから突出した状態で、規制部材６９が付勢部材７５によって第２の位置決め部材６２，６３の規制溝６２ｃを係合する方向に付勢されて移動されることにより、規制溝６２ｃが規制部材６９によって係合されて第２の位置決め部材６２，６３の筒状部６７の軸線方向の移動を規制することができる。
【０１２１】
更に、本発明は、第１の位置決め部材６１の基体部６１ａの頂面に設けられた第１のディスクカートリッジ１１が装着される装着面６１ｃと、待避機構６４の筒状部６７の頂面に設けられた第１及び第２のディスクカートリッジ１１，３１が装着される装着面６７ａとが同一の高さに設けられているので、第１のディスクカートリッジ１１を安定して装着することができる。
【０１２２】
なお、規制機構６５の規制部材６９は、第２の位置決め部材６２，６３を同時に係合することに限定されず、それぞれの第２の位置決め部材６２，６３に対して、規制部材６９を設けてもよい。例えば、位置決め孔４２ａを位置決めする第２の位置決め部材６２の筒状部６７の軸線方向の移動を規制する第１の規制部材と、位置決め孔４２ｂを位置決めする第２の位置決め部材６３の筒状部６７の軸線方向の移動を規制する第２の規制部材とを有し、第１の規制部材を第１のディスクカートリッジ１１の挿入方向と略直交する方向に対して一端側に移動させ、第２の規制部材を第１のディスクカートリッジ１１の挿入方向と略直交する方向に対して他端側に移動させることで、第２の位置決め部材６２，６３の筒状部６７の軸線方向に対する移動規制を解除させるようにしてもよい。
【０１２３】
また、規制機構６５の規制部材６９は、第１のディスクカートリッジ１１によって押圧部７０が押圧されて第１のディスクカートリッジ１１の挿入方向と略直交する方向に対して押圧部７０が設けられた一端側に移動されることで、第２の位置決め部材６２，６３の規制溝６２ｃから外れて規制部材６９によって規制されていた第２の位置決め部材６２，６３の筒状部６７の軸線方向に対する移動規制を解除させることに限定されない。例えば、規制部材６９は、第１のディスクカートリッジ１１の挿入方向に押圧部７０が押圧されて移動されることで、第２の位置決め部材６２，６３の筒状部６７の軸線方向の移動規制を解除させるようにしてもよい。このとき、規制部材６９の第１の係合部７２及び非係合部７３は、開口部７１の第１のディスクカートリッジ３１の挿入方向と略平行な一辺に設けて規制溝６２ｃに係合されるように形成すればよく、第２の係合部７４は、第１のディスクカートリッジ３１の挿入方向と略平行に突出するように設けて規制溝６２ｃに係合されるように形成すればよい。
【図面の簡単な説明】
【０１２４】
【図１】本発明が適用されたディスクドライブ装置に用いられる標準的大きさの第１のディスクカートリッジを表面側から見た斜視図である。
【図２】第１のディスクカートリッジの分解斜視図である。
【図３】第１のディスクカートリッジを裏面側から見た斜視図である。
【図４】一対のシャッタ板が下シェルの第１の開口部を閉塞している状態を示す平面図である。
【図５】第１の開口部を開放している途中の状態を示す平面図である
【図６】第１及び第２の開口部が開放され、第１の光ディスクの記録及び又は再生が行われる状態を示す平面図である。
【図７】本発明が適用されたディスクドライブ装置に用いられる小型の第２のディスクカートリッジを上シェル側から見た斜視図である。
【図８】第２のディスクカートリッジを下シェル側から見た斜視図である。
【図９】第２のディスクカートリッジの分解斜視図である。
【図１０】第１及び第２のシャッタ板が第１及び第２の開口部を閉塞した状態を上シェル及び第２の光ディスクを除いた状態で示した平面図である。
【図１１】第１及び第２のシャッタ板が第１及び第２の開口部を開放した状態を上シェル及び第２の光ディスクを除いた状態で示した平面図である。
【図１２】第１の開口部を開放した状態を下シェル側から見た第２のディスクカートリッジの斜視図である。
【図１３】ディスクドライブの斜視図である。
【図１４】ディスクカートリッジの未装着時のディスクカートリッジ装着装置の状態を示した平面図である。
【図１５】ディスクカートリッジの未装着時のディスクカートリッジ装着装置の状態を示した図１４中のＩ−Ｉ断面の縦断面図である。
【図１６】（Ａ）は、ディスクカートリッジの未装着時の第２の位置決め部材、待避機構及び規制機構の状態を示した縦断面図である。（Ｂ）は、第１のディスクカートリッジの装着時の第２の位置決め部材、待避機構及び規制機構の状態を示した縦断面図である。
【図１７】（Ａ）は、第１のディスクカートリッジが、ディスクカートリッジ装着装置に挿入されたときの状態を示した簡易図である。（Ｂ）は、第１のディスクカートリッジが、カートリッジホルダ内に搬送された状態を示した簡易図である。（Ｃ）は、第１のディスクカートリッジが、ディスク駆動機構及び光ピックアップ等に向かって降下されたときの状態を示した簡易図である。
【図１８】第１のディスクカートリッジの装着時のディスクカートリッジ装着装置の状態を示した平面図である。
【図１９】第１のディスクカートリッジの装着時のディスクカートリッジ装着装置の状態を示した図１８中のＩＩ−ＩＩ断面の縦断面図である。
【図２０】（Ａ）は、第２のディスクカートリッジが、ディスクカートリッジ装着装置に挿入されたときの状態を示した簡易図である。（Ｂ）は、第２のディスクカートリッジが、カートリッジホルダ内に搬送された状態を示した簡易図である。（Ｃ）は、第２のディスクカートリッジが、ディスク駆動機構及び光ピックアップに向かって降下されたときの状態を示した簡易図である。
【図２１】第２のディスクカートリッジの装着時のディスクカートリッジ装着装置の状態を示した平面図である。
【図２２】第２のディスクカートリッジの装着時のディスクカートリッジ装着装置の状態を示した図２２中のＩＩＩ−ＩＩＩ断面の縦断面図である。
【符号の説明】
【０１２５】
１  ビデオカメラ装置、２  ディスクドライブ装置、３  ベース、３ａ  開口部、４  ディスクカートリッジ装着機構、５  ディスク駆動機構、１１  第１のディスクカートリッジ、１３  第１の光ディスク、２２ａ  位置決め孔、２２ｂ  位置決め孔、３１  第２のディスクカートリッジ、３３  第２の光ディスク、４２ａ  位置決め孔、４２ｂ  位置決め孔、６１  第１の位置決め部材、６１ａ  基体部、６１ｂ  突部、６１ｃ  装着面、６２  第２の位置決め部材、６２ａ  本体部、６２ｂ  取付部、６２ｃ  規制溝、６２ｄ  ネジ孔、６３  第２の位置決め部材、６４  待避機構、６５  規制機構、６６  ストッパー、６７  筒状部、６７ａ  装着面、６７ｂ  ガイド部、６７ｃ  収納部、６７ｄ  貫通孔、６７ｅ  開口部、６８  付勢部材、６９  規制部材、７０  押圧部、７１  開口部、７２  第１の係合部、７３  非係合部、７４  第２の係合部、７５  付勢部材、７５ａ  係止片、７５ｂ  係止片、７６  ガイド部材、７６ａ  ガイド面、７７  第１の装着基準部、７７ａ  高さ基準面、７８  第２の装着基準部、７８ａ  高さ基準面、７９  光ピックアップ、８０  スレッド機構、８０ａ  ガイド軸、８１  スピンドルモータ、８２  ディスクテーブル、８３  対物レンズ、８４  搬送ローラ、８５  カートリッジホルダ
【図１】
2008186525.tif 000003
【図２】
2008186525.tif 000004
【図３】
2008186525.tif 000005
【図４】
2008186525.tif 000006
【図５】
2008186525.tif 000007
【図６】
2008186525.tif 000008
【図７】
2008186525.tif 000009
【図８】
2008186525.tif 000010
【図９】
2008186525.tif 000011
【図１０】
2008186525.tif 000012
【図１１】
2008186525.tif 000013
【図１２】
2008186525.tif 000014
【図１３】
2008186525.tif 000015
【図１４】
2008186525.tif 000016
【図１５】
2008186525.tif 000017
【図１６】
2008186525.tif 000018
【図１７】
2008186525.tif 000019
【図１８】
2008186525.tif 000020
【図１９】
2008186525.tif 000021
【図２０】
2008186525.tif 000022
【図２１】
2008186525.tif 000023
【図２２】
2008186525.tif 000024